(57)【要約】【課題】ナローガイドと操作レバーを結ぶ操作ワイヤなどの連係手段を刈取搬送経路の上方に配置することによって搬送穀稈に対する干渉を防止し、搬送作用を整然と円滑に行わせる。【解決手段】引起し装置（９）と刈取装置（１０）と搬送装置（１２）からなる刈取部（４）を備え、刈取部（４）の未刈地側の横側部には、外側方に張り出す分草作用姿勢と機体側に収納する収納姿勢とに切替可能なナローガイド（１６）を設け、該ナローガイド（１６）と運転部近くに配置した操作レバー（１８）とを連係する操作ワイヤ（２２）等の連係手段を刈取穀稈を搬送する搬送経路の上方に配策する。【選択図】図５
2010004843.tif 000002
【特許請求の範囲】
【請求項１】
分草後の穀稈を引き起す引起し装置（９）と引起し後の穀稈を刈り取る刈取装置（１０）と刈取後の穀稈を掻き込んで後方の脱穀部（３）まで搬送する搬送装置（１２）からなる刈取部（４）を備えたコンバインにおいて、刈取部（４）の未刈地側の横側部には、外側方に張り出す分草作用姿勢と機体側に収納する収納姿勢とに切替可能なナローガイド（１６）を設け、該ナローガイド（１６）と運転部近くに配置した操作レバー（１８）とを連係する操作ワイヤ（２２）等の連係手段を刈取穀稈を搬送する搬送経路の上方に配策したことを特徴とするコンバイン。
【発明の詳細な説明】
【技術分野】
【０００１】
この発明は、コンバインに関する。
【背景技術】
【０００２】
従来、例えば、特許文献１には、刈取部の未刈地側横側部に、外側方へ張り出す分草作用姿勢と機体側へ収納する収納姿勢とに切替可能なナローガイドを設け、運転操作部の近くに設けられた操作レバーの操作により、ナローガイドを分草作用姿勢と収納姿勢とに切替遠隔操作できるように構成し、そして、操作レバーとナローガイドとを連係する操作ワイヤは、刈取搬送部を支持し上下動可能に軸支された前後方向の刈取縦フレームに沿わせて設けた構成のものが開示されている。
【特許文献１】特開２００７−１７４９５５号公報
【発明の開示】
【発明が解決しようとする課題】
【０００３】
ナローガイドの操作ワイヤを刈取縦フレームに沿わせて設けたものでは、刈取搬送部から落下する雑草やわら屑などが刈取縦フレーム上で多量に堆積し，穀稈の搬送作用に支障をきたす問題がある。
【０００４】
本発明の課題は、ナローガイドと操作レバーを結ぶ操作ワイヤなどの連係手段を刈取搬送経路の上方に配置することによって搬送穀稈に対する干渉を防止し、搬送作用を整然と円滑に行わせることを目的とする。
【課題を解決するための手段】
【０００５】
この発明は、上記課題を解決すべく次のような技術的手段を講じた。
すなわち、分草後の穀稈を引き起す引起し装置（９）と引起し後の穀稈を刈り取る刈取装置（１０）と刈取後の穀稈を掻き込んで後方の脱穀部（３）まで搬送する搬送装置（１２）からなる刈取部（４）を備えたコンバインにおいて、刈取部（４）の未刈地側の横側部には、外側方に張り出す分草作用姿勢と機体側に収納する収納姿勢とに切替可能なナローガイド（１６）を設け、該ナローガイド（１６）と運転部近くに配置した操作レバー（１８）とを連係する操作ワイヤ（２２）等の連係手段を刈取穀稈を搬送する搬送経路の上方に配策したことを特徴とするコンバインとする。
【０００６】
ナローガイド（１６）は、操作レバー（１８）の切替操作によって、外側方に張り出す分草作用姿勢と機体側に収納する収納姿勢とに切り替えることができ、運転操作部近くから遠隔操作することができる。
【０００７】
操作ワイヤ（２２）等の連係手段は刈取穀稈を搬送する搬送経路の上方に配策してあるので、搬送中の穀稈が操作ワイヤ等の連係手段に干渉することがなく、搬送作用がスムースに行える。
【発明の効果】
【０００８】
本発明によれば、運転操作部近くから操作レバー（１８）を操作してナローガイド（１６）の出し入れを容易に遠隔操作することができ、操作ワイヤ（２２）等の連係手段が刈取穀稈を搬送する搬送経路の上方に配策されているので、搬送中の穀稈が操作ワイヤ（２２）等の連係手段に干渉することがなく、穀稈の搬送姿勢に乱れがなく整然と円滑に搬送することができる。
【発明を実施するための最良の形態】
【０００９】
この発明の実施例を図面に基づき説明する。
図１は、コンバインの正面図を示すものであり、この走行車体１には、左右一対の走行クローラ２，２を備え、後部に搭載した脱穀部（脱穀装置）３の前方部に刈取部４を設置し，刈取部４の横側部には運転席５や前側の操作ボックス６等からなる運転操作部を備え、更に、その運転操作部の後方には脱穀粒を一時的に貯留するグレンタンクＧを装備している。
【００１０】
刈取部４は、立毛する穀稈を左右に分草する分草体８…と、分草後の穀稈を引き起す穀稈引起し装置９と、引起し後の穀稈を刈り取る刈取装置１０と、刈取後の穀稈を掻込搬送する掻込搬送装置１１と、掻込搬送後の穀稈を揚上搬送して脱穀装置３のフィードチェン３ａに受け継がせる穀稈搬送装置１２等からなり、車体に対し上下動可能な刈取縦フレーム１３を介して昇降する構成としている。
【００１１】
各分草体８…は、刈取装置１０側から前方に突設する分草支持フレーム１５の先端に取り付けられている。
刈取部４の未刈地側横側部には、外側方に張り出す分草作用姿勢と機体側に収納する収納姿勢とに切替可能なナローガイド１６が設けられている。このナローガイド１６は、前端部が未刈地側（左側）の分草体８の背部位置で分草支持フレーム１５の前端部に回動自在に枢支され、後端が走行フレーム側に前後方向スライド可能に支持されており、そして、第１リンク１７ａと第２リンク１７ｂからなる横幅方向に伸縮可能な屈伸リンク１７を介して張出し・収納自在に連係され、運転席横側部のサイド操作ボックス７近くに設けられた操作レバー１８によって遠隔操作できるように連動構成されている。左側（未刈地側）の分草支持フレーム１５の基端側にブラケット１９が取り付けられ、ブラケット１９には上下方向に立設する回動軸２０が軸支され、また、この回動軸２０には天秤アーム２１と前記屈伸リンク１７の第１リンク１７ａが一体に回動するよう固定されている。天秤アーム２１の両端には２本の操作ワイヤ２２ａ，２２ｂの一端側が連結され、該操作ワイヤ２２ａ，２２ｂの他端側は前記操作レバー１８の操作で揺動する揺動アーム２３に連動連結されている。
【００１２】
２本の操作ワイヤ２２ａ，２２ｂは、引起し縦伝動パイプ２６、各引起し装置上部に横架する引起し横伝動ケース２７、該引起し横伝動ケース２７の中間部から後方に延出して刈取縦フレーム１３の基部側に連結保持する引起し支持フレーム２８、刈取穀稈搬送部１２の搬送経路の上方を覆う前防塵カバー３０の裏側に沿わせて配策し、穀稈搬送装置１２における穀稈搬送経路の上部側に設けられた刈取穀稈の穂部側を搬送経路に沿って案内する穂先案内板１４よりも上方に設けられる。引起し横伝動ケース２７に沿わせる操作ワイヤ２２は引起しアッパーカバー２９によって被覆する構成としている。操作レバー１８は、運転席５と後防塵カバー３１との間に配置され、左右方向の横軸２４を回動支点とする前後方向の操作で揺動アーム２３を揺動変位させて操作ワイヤ２２ａ，２２ｂを引き戻し操作する構成としている。横軸２４は前防塵カバー３０を支持するアーチ状のカバー支持フレーム３２に支持ステー３３を介して軸受保持させた構成としている。
【００１３】
なお、この操作レバー１８は水平に対し進行方向側（斜め前方上方に向けて傾ける）に傾ける構成とすることで、刈取部を最上げ状態にした場合でもレバー操作を容易に行うことができる。また、前記後防塵カバー３１は前防塵カバー３０の上側に重合し、前後方向に開閉スライド自在に構成されている。
【００１４】
しかして、操作レバー１８を後方に回動操作すると、天秤アーム２１の一端側に接続されたワイヤ２２ａが操作レバー１８側に引っ張られると同時に、天秤アーム２１の他端側に接続されたワイヤ２２ｂが反操作レバー側に引き戻される。これにより、天秤アーム２１が時計方向に揺動し、回動軸２０と一体の第１リンク１７ａが外方に向けて回動する。かかる回動により、屈折状態の屈伸リンク１７が直線状に伸び切ってナローガイド１６を外方に押し出し、ナローガイドが外方に張り出して分草作用姿勢に切り替えられる。また、操作レバー１８を前方に回動操作すると、ワイヤ２２ｂが操作レバー１８側に引っ張られると同時に、ワイヤ２２ａが反操作レバー側に引き戻されることにより、天秤アーム２１が反時計方向に揺動し、回動軸２０が同方向に回動して、これと一体の第１リンク１７ａが内方に向けて回動する。これにより、直線状態にあるリンク１７ａ，１７ｂが縮む方向に折れ曲がりナローガイド１６を内方に引き込み、ナローガイドが内方へ引退して収納姿勢に切り替えられる。
【００１５】
刈取部のサイドカバー２５を支持するサイドカバー支持部材５０と、ブラケット１９、回動軸２０、天秤アーム２１、ワイヤ保持具３４等からなるナローガイドの作動機構部Ａを支持する作動機構支持部材５１を分割すると共に、両者をボルト・ナット５２などで着脱自在に連結構成している。ブラケット１９は作動機構支持部材５１に対して軸芯Ｑ回りに回動可能で長穴１９ａを介して上下回動調節可能に構成してあり、これによって、ナローガイド１６の穀稈に対する作用位置が上下に変更調節されることになる（図１５参照）。ブラケット１９のボス部１９ｂには前記回動軸２０を嵌入して軸受保持する構成としている。天秤アーム２１の両端にはワイヤ２２ａ，２２ｂを取り付けるワイヤ取付ピン２１ａ，２１ｂを突設している。ワイヤ保持具３４にはワイヤ保持溝３４ａ，３４ｂが設けられワイヤ２２ａ，２２ｂを係合保持させている。ワイヤ２２ａ，２２ｂは引起し伝動パイプ２６近くから上方に向けて配策し上下方向のパイプ２６に沿わせるように構成している。ナローガイドの作動機構部Ａは、左側の引起し伝動パイプ２６とサイドカバー２５との間に配置して、穀稈の搬送作用に支障をきたさないようにし、しかも，側面視でサイドカバー２５内に配置することによって安全性の向上並びにわら屑の溜まりを防止するようにしている。また、ナローガイドの作動機構部Ａの上方には、図１４に示すように、後方に向けて下り傾斜の藁屑溜り防止カバー（シートでもよい）４８を設けることによって上方の搬送部から落下してくるわら屑の滞留を防止するように構成することもできる。
【００１６】
なお、図７に示す実施例では、操作レバー１８の係止固定位置を複数段に設定して、ナローガイドを収納位置、中間位置、張出位置の３段階の位置変更ができる構成とし、未刈穀稈の倒伏度合いなどによってナローガイドの張り出し量を調節するようにしている。
【００１７】
図８に示すように、第１リンク１７ａと天秤アーム２１との間には、所定圧の摩擦抵抗を付与するライニング３６を介装し、押圧スプリング３７を介して締付具３８により締付固定することで、ナローガイドが障害物に当たってもライニング部で滑りが発生し、ナローガイドを強制的に収納し、破損を未然に防止することができる。また、押圧スプリングを介して締付固定しているので、ライニングの摩擦力の微調整が可能となる。
【００１８】
また、上記の手段に代わる構成として、図９に示すように、第１リンク１７ａの第１支点軸（回動軸）２０と天秤アーム２１との間には、所定以上の過負荷に起因してせん断可能なキー４２を設けたり、図１０に示すように、第１支点軸２０に設けたスプリングピン４３を天秤アーム２１側に設けた係合溝４４に係合させ、過負荷によりスプリングピン４１が押圧スプリング３７に抗して係合溝４２を乗り越えるように構成することもでき、図８の実施例と同等の効果を奏することができる。
【００１９】
図１１に示す実施例では、第１リンク１７ａにおいて、過負荷時における第１リンク１７ａの収納位置を規制する規制部材４５を設けることで、過負荷時には第１リンクが収納位置において規制部材４５のブラケット１９に対する接当によって規制され、他部品の破損を防止することができ、第１リンクと天秤アームとの位置決めも可能となる。
【００２０】
図１２に示すように、ナローガイド１６に第２リンク１７ｂの第３支点軸４１に対する連結部４６ａ，４６ｂを複数箇所設け、これらの連結位置を変えることで、ナローガイドの張り出し位置を複数位置に変更することができる。また、第２リンク１７ｂ自体の長さを変更することによってもナローガイドの張り出し位置を任意に変更することができる。
【００２１】
更に、第１３に示すように、第１リンク１７ａに第２リンク１７ｂとの第２支点軸４０に対する連結部４６ａ，４６ｂを複数箇所設け、これらの連結位置を変えることによってもナローガイドの張り出し位置を容易に変更することができる。
【００２２】
図５に示すように、エンジンから入力される刈取入力軸を内装軸架した入力伝動ケース５２を車体側から立設する懸架台上に架設し、入力伝動ケースの中間部位から前方下方に延びる刈取縦フレーム１３の前端部から左右横方向に延びる刈取伝動ケース５３には、刈取部４の刈取装置１０や掻込搬送装置１１等を架設して伝動可能に設け、この刈取部全体が前記入力伝動ケース５２の軸芯を回動支点として上下に昇降する構成としている。また、刈取伝動ケース５３の左端側から引起し伝動パイプ２６内の引起し伝動軸を駆動する構成としている。
【図面の簡単な説明】
【００２３】
【図１】コンバインの正面図
【図２】同上要部の平面図
【図３】刈取部の要部の側面図
【図４】同上要部の背断面図
【図５】刈取部の要部の側面図
【図６】ナローガイドの作動状態を示す平面図
【図７】ナローガイドの収納・張出位置の操作状態を示す平面図
【図８】ナローガイド作動機構部の分解側面図
【図９】ナローガイド作動機構部の斜視図、
【図１０】ナローガイド作動機構部の側面図
【図１１】同上別実施例の要部の側面図
【図１２】ナローガイドの張り出し位置変更手段を示す平面図、
【図１３】同上別実施例の平面図
【図１４】同上別実施例の要部の側面図
【図１５】ナローガイドの上下位置調節状態を示す背面図
【符号の説明】
【００２４】
３    脱穀部
４    刈取部
９    引起し装置
１０    刈取装置
１２    搬送装置
１６    ナローガイド
１８    操作レバー                                        
１７    屈伸リンク
１８    操作レバー
２２    操作ワイヤ
【図１】
2010004843.tif 000003
【図２】
2010004843.tif 000004
【図３】
2010004843.tif 000005
【図４】
2010004843.tif 000006
【図５】
2010004843.tif 000007
【図６】
2010004843.tif 000008
【図７】
2010004843.tif 000009
【図８】
2010004843.tif 000010
【図９】
2010004843.tif 000011
【図１０】
2010004843.tif 000012
【図１１】
2010004843.tif 000013
【図１２】
2010004843.tif 000014
【図１３】
2010004843.tif 000015
【図１４】
2010004843.tif 000016
【図１５】
2010004843.tif 000017